(57)【要約】【課題】ガスメータが保有する内部情報を二次元コードで表示したときに、この二次元コードが読み取れない場合でも、読み出す人の用途に合った内容のみを確認できるガスメータを提供する。【解決手段】ガスメータの内部情報を用途別にグループ化して記憶する情報記憶部と、用途が入力される用途入力部と、入力された用途に対応した前記情報記憶部に記憶された情報を二次元コード化して表示するコード表示制御部およびテキスト化して表示するテキスト表示制御部と、前記用途に対応した記憶情報を二次元コードまたはテキストで表示する表示態様切替入力部と、を備え、前記表示態様に基づいて前記用途に応じた記憶情報を交互に表示する。【選択図】図３
2010133769.tif 000002
【特許請求の範囲】
【請求項１】
ガスメータの内部情報を用途別にグループ化して記憶する情報記憶部と、用途が入力される用途入力部と、入力された用途に対応した前記情報記憶部に記憶された情報を二次元コード化して表示するコード表示制御部およびテキスト化して表示するテキスト表示制御部と、前記用途に対応した記憶情報を二次元コードまたはテキストで表示する表示態様切替入力部と、を備え、前記表示態様に基づいて前記用途に応じた記憶情報を交互に表示することを特徴とするガスメータ。
【請求項２】
請求項１に記載のガスメータにおいて、前記コード表示制御部が二次元コードを表示する領域と前記テキスト表示制御部がテキストを表示する領域を同一の表示領域とすることを特徴とするガスメータ。
【請求項３】
請求項１に記載のガスメータにおいて、前記用途を前記用途別毎に予め定めた暗証番号で指示し、前記暗証番号と一致した用途に対応した記憶情報を表示することを特徴とするガスメータ。
【発明の詳細な説明】
【技術分野】
【０００１】
本発明は、記憶された内部情報を表示するガスメータに関する。
【背景技術】
【０００２】
近年、従来のバーコードと比較して数倍から数百倍の情報をコード化することが可能な二次元コードが主流となっており、紙面への印刷やディスプレイなどへ表示させるなどして活用されている（特許文献１）。
【０００３】
二次元コードでは、汚れや欠損したデータを修復することができ、コード自体の１０％から３０％が欠損しても復元することができる。
しかし、ガスメータのように屋外に１０年間設置されるような装置では、表示部への傷や容易に落とせない汚れが付きやすく、二次元コードリーダでの読み取りが困難になる場合がある。
【０００４】
バーコードでは、バーコードの下に人が目で見て読める（ヒューマンリーダブル）文字が印字（表示）されている。バーコードで読み取りができない程の欠損が生じた場合、その印字（表示）された文字をキーボード等で入力することにより、運用が支障しないようにしている。
【０００５】
一方、二次元コードの場合、データ容量が非常に大きく、ヒューマンリーダブルの文字が付加されないため、データの復元ができない程の大きな損傷が発生すると、データ入力の手段が無くなり運用が止まってしまう。たとえ、ヒューマンリーダブルの文字が付加されていたとしても、キーボード等で１００文字以上の文字を入力しなければならない場合もあり現実的ではない。
このように二次元コードの導入にあたっては、読めなかった場合の対処を十分に考慮する必要がある。
【０００６】
特許文献２では、標本に付された二次元コードを二次元コードリーダにより読み取って標本を特定するが、二次元コードの読み取りができなかったときには、二次元コードとともに付されたテキスト情報を撮像し、この撮像した画像によって人間が標本を特定している。
【０００７】
また、ガスメータには、数多くの情報が記憶されており、人によっては見てはいけない情報や、必要とする情報や余分な情報が存在している。
例えば、検針員などは、検針値やガスメータのセキュリティ情報、遮断情報などを読み出す必要があるが、製品ロット情報や工場での組立・出荷情報、その他の詳細な情報を読み出す必要が無く、またメーカの社員の立場からすると、これらの情報を検針員などに見せたくはない。
【特許文献１】特開２００８−１０７２５０号公報
【特許文献２】特開２００７−１０１１９９号公報
【発明の開示】
【発明が解決しようとする課題】
【０００８】
しかしながら、特許文献２では、二次元コードとテキスト情報が異なる表示箇所に表示されており表示スペースを多く必要とし、また、テキスト情報が同時に表示されているのでコード化した内容を読まれて欲しくない人にも容易に読み取れてしまうという欠点がある。
【０００９】
本発明は、上記の実情を考慮してなされたものであって、ガスメータが保有する内部情報を二次元コードで表示したときに、この二次元コードが読み取れない場合でも、読み出す人の用途に合った内容のみを確認できるガスメータを提供することを目的とする。
【課題を解決するための手段】
【００１０】
上記の課題を解決するために、本発明のガスメータは、ガスメータの内部情報を用途別にグループ化して記憶する情報記憶部と、用途別毎に予め定めた暗証番号で用途が入力される用途入力部と、入力された用途に対応した前記情報記憶部に記憶された情報を二次元コード化して表示するコード表示制御部およびテキスト化して表示するテキスト表示制御部と、前記用途に対応した記憶情報を二次元コードまたはテキストで表示する表示態様切替入力部と、を備え、前記表示態様に基づいて前記用途に応じた記憶情報を交互に表示することを特徴とするガスメータ。
【００１１】
上記のガスメータにおいて、前記コード表示制御部が二次元コードを表示する領域と前記テキスト表示制御部がテキストを表示する領域を同一の表示領域としてもよい。
【発明の効果】
【００１２】
本発明によれば、ガスメータ内部の情報を二次元コードで表示したときに、この二次元コードが読み取れない場合でも、読み出す人の用途に合った内容のみを確認できる。
【発明を実施するための最良の形態】
【００１３】
以下、図面を参照して本発明のガスメータに係る好適な実施形態について説明する。
図１は、本発明の実施形態に係るガスメータの一構成例を示す図で、一般的なマイコンメータの一構成例を示す図でもある。
図１において、ガスメータ２０は、制御部１、電池２、記憶部３、表示部４、通信部５、遮断弁６、遮断弁開スイッチ７、流量センサ８、圧力センサ９、感震器１０、温度センサ１１等からなっている。
【００１４】
制御部１は、ＣＰＵで構成され、記憶部３に格納された制御プログラムを実行することで、ガスメータ２０の各処理部や駆動部を制御する。
電池２は、ガスメータ２０の各処理部や駆動部に電源を供給する。
記憶部３は、不揮発性メモリおよび揮発性メモリなどから構成され、揮発性メモリは、制御プログラムの一時的な読み出しや制御プログラムの実行時上で必要なデータを一時的に記憶する。不揮発性メモリは、制御プログラムや制御プログラムによって使われる恒常的なデータや、制御プログラムによって記録される当該ガスメータ２０に関する内部情報（後述）が記録される。
【００１５】
表示部４は、ＬＥＤ（発光ダイオード）、ＬＣＤ（液晶表示素子）といった表示部材から構成され、制御部１からの制御信号に応じて、各種センサの故障やガス漏れ等の異常が生じた場合に、その旨を表すメッセージを表示する。また、操作者の指示に応じて、記憶部３に記憶された内部情報を二次元コードやテキストで表示する。
【００１６】
通信部５は、近距離無線通信を介して操作装置３０に接続し、操作装置３０からの指示を受信して制御部１へ送信し、制御部１からの処理結果を操作装置３０に送信する。
【００１７】
遮断弁６は、制御部１からの制御信号に応じて開閉され、ガス流路内のガスの遮断および通過を制御するために使用される。このとき制御部１は、記憶部３に遮断が起こった日時及びその原因等を履歴として記憶する。
遮断弁開スイッチ７は、遮断されたガスの流れを再開するためのスイッチであり、制御部１は、記憶部３に遮断弁が開けられたこと及び日時を履歴として記憶する。
【００１８】
流量センサ８は、ガス流路を流れるガスの流量を検出し、流量信号として制御部１に送る。この流量センサ８は、ガス使用量を積算するためと、ガス漏れ等によりガスの流量が異常になった場合にガスの供給を停止するために設けられている。
制御部１は、流量センサ８からの流量信号からガス使用量を積算して、検針用のデータ及びガスの残量データとして記憶部３に記憶する。
【００１９】
圧力センサ９は、ガス流路内のガスの圧力を検出し、圧力信号として制御部１に送る。圧力センサ９は、遮断弁６が開放されている通常の状態では、外部から消費者のガス機器に至るガス流路のガスの圧力を検出し、遮断弁６が閉じられている状態では、ガスメータ２０から消費者のガス機器に至るガス流路のガスの圧力を検出する。
【００２０】
感震器１０は、地震波等の振動を検知し、地震の強さを地震信号として制御部１に送る。制御部１では、地震信号からガスを遮断するべきかを判断し、必要に応じて遮断弁６を閉じさせる。
温度センサ１１は、ガスメータ２０の周囲の温度を検出して、温度を制御部１に送る。制御部１では、受信した温度が所定値以上であれば、火災発生の予知有りとして、ガスの流れを遮断させる。
【００２１】
操作装置３０は、図２に示すように、近距離無線通信により通信部５を介してガスメータ２０と接続し、当該装置の電源をＯＮ／ＯＦＦする電源ボタン３１、ガスメータ２０から送られてくるメッセージを表示するＬＣＤから構成される表示部３２、ガスメータ２０の表示部４に表示された二次元コード表示とテキスト表示とを切り替える切替ボタン３３を備えている。また、操作装置３０には、用途ＩＤ（後述）を記憶する不揮発性メモリが備えられている。
【００２２】
この操作装置３０は、上記の電源ボタン３１の代わりの表示開始ボタンと表示切替ボタンを設けた電文設定器や携帯電話によっても同様に達成することができる。
【００２３】
次に、本実施形態に係る制御部１の制御構造について説明する。
図３は、本実施形態に係る制御部１の制御構造を示す構成図であり、同図において、制御部１は、従来の構成に加えて、表示制御部４１、用途識別部４２、メッセージ出力部４３、表示切替部４４、二次元コード変換部４５、テキスト変換部４６から構成される。
また、記憶部３には、内部情報記憶部４７、用途グループテーブル４８を備えている。
【００２４】
まず、記憶部３（内部情報記憶部４７、用途グループテーブル４８）について説明する。
内部情報記憶部４７は、ガスメータの出荷時や運用時に累積した検針値、セキュリティデータ、遮断データ、制御コード値、圧力値データ、残量管理値、学習状態、製品ロット情報、組立・出荷情報などが記憶される。これらのデータを内部情報と呼ぶことにする。
【００２５】
しかし、上述したように、検針員、保守要員やメーカ社員によって必要な内部情報には違いがあるので、読み出す人に必要な内部情報をグループ化する。
例えば、検針員に対しては、検針値やガスメータのセキュリティ情報、遮断情報などを用途１にグループ分けする。
保守員に対しては、検針値、セキュリティデータ、遮断データ、制御コード値、圧力値データ、残量管理値などを用途２にグループ分けする。
メーカ社員に対しては、検針値、セキュリティデータ、遮断データ、制御コード値、圧力値データ、残量管理値、学習状態、製品ロット情報、組立・出荷情報などを用途３にグループ分けする。
【００２６】
本実施形態では、内部情報を用途別にグループ分けした用途グループテーブル４８を用いて管理する。
この用途グループテーブル４８は、用途別に、用途を識別する用途ＩＤ（例えば、暗証番号や認証キー）とアドレスリストを対応付けて記憶部３に記憶する。
ここで、アドレスリストは、グループ内の個々の内部情報を記憶したアドレスを羅列したものとするが、内部情報が連続して記憶されている場合には、先頭アドレスと情報の個数としても構わない。
【００２７】
次に、操作方法について説明する。
ガスメータ２０の内部情報を読み出す人は、自分の用途に合った用途ＩＤをメモリに記憶した操作装置３０を所持して、所定のガスメータ２０に近づきこの操作装置３０の電源ボタン３１を押す。
操作装置３０は、電源が入ると、ガスメータ２０に近距離無線通信で接続して、メモリに記憶した用途ＩＤを送信する。
【００２８】
ガスメータ２０では、通信部５が操作装置３０と接続して、受信した用途ＩＤを制御部１に送信し、この用途ＩＤに対応する内部情報を二次元コードあるいはテキストとして表示する。
【００２９】
例えば、二次元コード化された内部情報は、図４（Ａ）に示したようにガスメータ２０の表示部４の右下部に表示される。また、テキスト化された内部情報は、図４（Ｂ）に示したようにガスメータ２０の表示部４の右下部の同一の表示領域に表示される。ここでは、表示部４の右下部としたが表示部４内のどの表示領域に表示させてもよいし、別々の表示領域に表示するようにしても構わない。
【００３０】
ガスメータ２０に表示された内部情報は、カメラ付き携帯電話などのカメラで撮影することによって、そのまま画像形式で記憶させてもよいが、二次元コードの場合はテキストに変換してから記憶するようにしてもよい。
【００３１】
また、表示部４が汚れているためガスメータ２０に表示された二次元コードをテキストに変換できないときには、操作装置３０の切替ボタン３３を押すと、切替信号がガスメータ２０に送信される。
ガスメータ２０では、通信部５を介して操作装置３０から受信した切替信号を制御部１に送信し、この切替信号により内部情報の表示を二次元コードあるいはテキストに切り替える。
【００３２】
このように、ガスメータ内部の情報を二次元コードで表示したときに、この二次元コードが読み取れない場合でも、読み出す人の用途に合った内容のみを確認できる。
【００３３】
次に、制御部１の各処理部について説明する。
表示制御部４１は、制御部１から受信した用途ＩＤおよび切替指示に応じて、用途別の内部情報を二次元コードまたはテキストとして表示部４へ表示する制御を行う。
【００３４】
用途識別部４２は、用途グループテーブル４８の各グループの用途ＩＤと、表示制御部４１から受信した用途ＩＤとを照合して、対応する内部情報を記憶したアドレスリストを取得する。ここで、表示制御部４１から受信した用途ＩＤが用途グループテーブル４８に登録されていないときには、無効な用途ＩＤが送られてきた旨のメッセージをメッセージ出力部４３に送信する。
【００３５】
メッセージ出力部４３は、用途識別部４２から送られてきたメッセージを表示部４へ表示する。あるいは、このメッセージを通信部５を介して操作装置３０へ送信し、受信したメッセージを操作装置３０の表示部３２へ表示させるようにしてもよい。
【００３６】
表示切替部４４は、初期設定では、内部情報の表示を二次元コードで表示させるが、表示制御部４１から切替信号を受信すると、内部情報の表示をテキストで表示させるように切り替える。連続して切替信号を受信すると、二次元コード表示とテキスト表示とを交互に切り替える。
【００３７】
二次元コード変換部４５は、テキスト変換部４６を使って、用途識別部４２で取得したアドレスリストに対する一覧表を作成して、この一覧表を公知の技術を用いて二次元コードに変換する。
【００３８】
テキスト変換部４６は、用途識別部４２で取得したアドレスリストの個々のアドレスから個々の内部情報を取得してテキスト化する。
【００３９】
次に、制御部１の動作について説明する。
図５は、本実施形態に係る制御部１の動作を示すフローチャートである。
操作装置３０の電源ボタン３１が入れられて、近距離無線通信で接続された場合（ステップＳ１のＹＥＳ）、通信部５を介して操作装置３０から用途ＩＤを取得する（ステップＳ２）。
【００４０】
用途グループテーブル４８の各グループの用途ＩＤの中に受信した用途ＩＤがなかった場合（ステップＳ３のＮＯ）、無効な用途ＩＤが送られてきた旨のメッセージを表示部４に表示するか、あるいは、このメッセージを通信部５を介して操作装置３０へ送信し、受信したメッセージを操作装置３０の表示部３２へ表示し（ステップＳ４）、処理を終了する。
【００４１】
一方、用途グループテーブル４８の各グループの用途ＩＤの中に受信した用途ＩＤがあった場合（ステップＳ３のＹＥＳ）、受信した用途ＩＤに対応するアドレスリストを取得し、メモリＳＷにＯＮを設定する（ステップＳ５）。
【００４２】
取得したアドレスリストの個々のアドレスから個々の内部情報を取得してテキスト化して記憶部３に一時的に記憶する（ステップＳ６）。
一時的に記憶した上記テキストを公知の技術を用いて二次元コードに変換して一時的に記憶部３に記憶する（ステップＳ７）。
【００４３】
メモリＳＷの内容がＯＮの場合（ステップＳ８のＹＥＳ）、一時的に記憶されている二次元コードの内部情報を表示部４に表示し（ステップＳ９）、メモリＳＷにＯＦＦを設定する（ステップＳ１０）。
一方、メモリＳＷの内容がＯＦＦの場合（ステップＳ８のＮＯ）、一時的に記憶されているテキストの内部情報を表示部４に表示し（ステップＳ１１）、メモリＳＷにＯＮを設定する（ステップＳ１２）。
【００４４】
次に、通信部５を介して操作装置３０から指示信号を受信し（ステップＳ１３）、この指示信号が切替信号の場合（ステップＳ１４のＹＥＳ）、ステップＳ８に戻って表示部４の表示を二次元コード表示またはテキスト表示に交互に切り替える。
一方、通信部５を介して操作装置３０から指示信号が切替信号以外の場合（ステップＳ１４のＮＯ）、処理を終了する。
【００４５】
尚、本実施形態では操作装置を別途設けるようにしたが、ガスメータに内部情報の表示開始ボタンと表示切替ボタンを設けるようにして、ガスメータだけで二次元コード表示とテキスト表示とを切り替え可能としてもよい。
【００４６】
以上の構成により、ガスメータ内部の情報を二次元コードで表示することによって一般の人に容易に解読される心配がなく、また、二次元コードの読み取りができない場合でも、テキスト情報に切り替えて表示できるので、ガスメータ内部の情報を確認することができる。
さらに、用途別の用途ＩＤ（暗証番号）を入力させるので、第三者にガスメータ内部の情報を容易に読み出させないようにできる。
【００４７】
尚、本発明は上述した実施形態に限定されず、本発明の要旨を逸脱しない範囲内で各種の変形、修正が可能であるのは勿論である。例えば、実施形態で説明したガスメータの代わりに、水道メータ、電力メータやその他、内部情報を読み出したい機器に適用できることは言うまでもない。
【図面の簡単な説明】
【００４８】
【図１】実施形態に係るガスメータの一構成例を示す図である。
【図２】実施形態で使用する操作装置の構成を示す図である。
【図３】実施形態に係る制御部の制御構造を示す構成図である。
【図４】内部情報が表示される表示領域を説明する図である。
【図５】実施形態に係る制御部の動作を示すフローチャートである。
【符号の説明】
【００４９】
１…制御部、２…電池、３…記憶部、４…表示部、５…通信部、６…遮断弁、７…遮断弁開スイッチ、８…流量センサ、９…圧力センサ、１０…感震器、１１…温度センサ、２０…ガスメータ、３０…操作装置、３１…電源ボタン、３２…表示部、３３…切替ボタン、４１…表示制御部、４２…用途識別部、４３…メッセージ出力部、４４…表示切替部、４５…二次元コード変換部、４６…テキスト変換部、４７…内部情報記憶部、４８…用途グループテーブル。
【図１】
2010133769.tif 000003
【図２】
2010133769.tif 000004
【図３】
2010133769.tif 000005
【図４】
2010133769.tif 000006
【図５】
2010133769.tif 000007